(57)【要約】【課題】営業用の商品陳列用冷蔵庫、冷凍庫の扉や太陽光湯沸器の太陽光受光面等に使用される二重ガラス板を使った透明断熱板は、内部に気体を封入したものが一般的であり、気体の熱伝導による断熱効果の低下が問題となっている。【解決手段】平面状の前面ガラス板１と、スペーサ手段として内面側に突起する複数列の点線状Ｖ形溝２１を形成した後面ガラス板２とを、外周の四辺に、一辺のみは両壁が４５度に傾斜した排気口３１を設けるようにして、五枚のガラス枠板３を挟んで重ね合わせ、ガラス枠板３部分をフリットガラスを介して加熱溶着して、ガラス封体を形成するものとし、ガラス封体の内部を、排気口３１を通して排気して真空にした上で、両端が４５度に傾斜した台形の封止用ガラス板４を排気口３１に挿入して、フリットガラスを介して加熱溶着して封止した構造の二重ガラス板式真空断熱板を実現することで課題を解決する。【選択図】図１
2007024298.tif 000002
【特許請求の範囲】
【請求項１】
平面状の四角形の前面ガラス板（１）と、スペーサ手段として、内面側に突起する複数列の点線状Ｖ形溝（２１）を形成した四角形の後面ガラス板（２）とを、外周の四辺に、一辺のみは両壁が４５度に傾斜した排気口（３１）を設けるようにして、点線状Ｖ形溝（２１）の突起側の高さと同じ寸法の厚さの五枚のガラス枠板（３）を挟んで重ね合わせ、ガラス枠板（３）部分をフリットガラスを介して加熱溶着してガラス封体を形成するものとし、カラス封体の内部を排気口（３１）を通して排気して真空にした上で、両端の傾斜が４５度の台形の封止用ガラス板（４）を排気口（３１）に挿入し、フリットガラスを介して加熱溶着して排気口（３１）を封止した構造としたことを特徴とする二重ガラス板式真空断熱板。
【請求項２】
四角形の後面ガラス板（２）に、スペーサ手段として内面側に突起する複数列の点線状Ｖ形溝（２１）を形成する代わりに、異なった形態のスペーサ手段として、内面側に突起する複数個の角錐形溝（２２）を形成したことを特徴とする請求項１に記載の二重ガラス板式真空断熱板。
【発明の詳細な説明】
【技術分野】
【０００１】本発明は、営業用の商品陳列用冷蔵庫、冷凍庫の扉や、太陽光湯沸器の受光面等に使用する二重ガラス板を使った透明断熱板に関するものであり、詳細には、可視光や赤外線（輻射熱）は透過するが、伝導熱は遮断することを特徴とする二重ガラス板式真空断熱板に係るものである。
【背景技術】
【０００２】従来の営業用の商品陳列用冷蔵庫、冷凍庫の扉や太陽光湯沸器等に使用する二重ガラス板を使った透明断熱板は、二重ガラス板間の隙間が外気圧によってつぶれないように、内部に気体を封入したものが一般的であり、気体の熱伝導による断熱効果の低下が問題となっている。ここで、気体の熱伝導率は、数１００Ｐａから数ＭＰａまでほぼ一定である（理科年表に記載されている）ことから、たとえ封入圧力が僅かでも気体を封入する限り、その断熱効果は真空には到底及ばないものである。省エネが強く望まれている時代において太陽光湯沸器の需要が伸びないのも、太陽光を受ける受光面に取り付けた二重ガラス板を使った透明断熱板の断熱効果（湯の放熱の遮断効果）に問題があるためと考えられる。
【発明の開示】
【発明が解決しようとする課題】
【０００３】本発明が解決しようとする課題は、新しいスペーサ手段により、二重ガラス板間に適正な隙間の真空断熱層を保持すると共に、大面積でも外気圧によってつぶれないような構造の二重ガラス板式真空断熱板を実現することである。
【課題を解決するための手段】
【０００４】前記した課題を解決するための手段として、平面状の四角形の前面ガラス板と、スペーサ手段として、内面側に突起する複数列の点線状Ｖ形溝を形成した四角形の後面ガラス板とを、外周の四辺に、一辺のみは両壁が４５度に傾斜した排気口を設けるようにして、点線状Ｖ形溝の突起側の高さと同じ寸法の厚さの五枚のガラス枠板を挟んで重ね合わせ、ガラス枠板部分をフリットガラスを介して加熱溶着してガラス封体を形成するものとし、ガラス封体の内部を排気口を通して排気して真空にした上で、両端の傾斜が４５度の台形の封止用ガラス板を排気口に挿入し、フリットガラスを介して加熱溶着して排気口を封止した構造の二重ガラス板式真空断熱板を実現することで課題を解決するものである。即ち、スペーサ手段として後面ガラス板に形成した複数列の点線状Ｖ形溝の突起側を、前面ガラス板の内面側に接触させることで、二重ガラス板間に適正な隙間の真空断熱層を形成すると共に、外気圧によってもつぶれないような構造の二重ガラス板式真空断熱板を実現するものである。ここで、点線状Ｖ形溝とは、断面がＶ形の長い溝を点線状の短い溝に切り分けたようなものであり、それぞれの点線状Ｖ形溝の突起側が前面ガラス板の内面側に接触したとき、接触部分が短い長さの線接触となることで、接触面積が非常に小さいので、熱伝導による真空断熱効果の低下を最小限に抑えることができるものである。
【発明の効果】
【０００５】本発明による二重ガラス板式真空断熱板は、スペーサ手段として、後面ガラス板に内面側に突起する複数列の点線状Ｖ形溝を形成することで、スペーサ手段として特別な部材を用いずに、二重ガラス板間に適正な隙間の真空断熱層を形成できるという効果を奏すると共に、点線状Ｖ形溝の存在しない平面部分の面積が広いので、営業用の商品陳列用冷蔵庫、冷凍庫の扉等に使用した場合、内部がよく見えるという効果を奏するものである。又、本発明による二重ガラス板式真空断熱板を太陽光湯沸器の太陽光を受ける受光面に使用した場合には、太陽光の赤外線（輻射熱）はよく透過するが、内部からの湯の放熱（伝導熱）は真空断熱層によって遮断するという効果を奏するものである。
【発明を実施するための最良の形態】
【０００６】本発明を実施するための最良の形態は、図１及び図２に示すように、平面状の四角形の前面ガラス板１と、スペーサ手段として、内面側に突起する複数列の点線状Ｖ形溝２１を形成した四角形の後面ガラス板２とを、外周の四辺に、一辺のみは両壁が４５度に傾斜した排気口３１を設けるようにして、点線状Ｖ形溝２１の突起側の高さと同じ寸法の厚さの五枚のガラス枠板３を挟んで重ね合わせ、ガラス枠板３部分をフリットガラス（図示省略）を介して加熱溶着して、ガラス封体を形成するものとし、ガラス封体の内部を、排気口３１を通して排気して真空にした上で、両端が４５度に傾斜した台形の封止用ガラス板４を排気口３１に挿入して、フリットガラス（図示省略）を介して加熱溶着して排気口３１を封止した構造の二重ガラス板式真空断熱板とすることである。ここで、点線状Ｖ形溝２１とは、断面がＶ形の長い溝を点線状の短い溝に切り分けたようなものであり、それぞれの点線状Ｖ形溝２１の突起側が前面ガラス板１の内面側に接触したとき、接触部分が短い長さの線接触となることで、接触面積が非常に小さいので、熱伝導による真空断熱効果の低下を最小限に抑えることができるものである。尚、点線状Ｖ形溝２１の各角は、ガラスの強度保持のため、小さな曲線状とすることが望ましい。【０００７】本発明を実施するための最良の形態について、更に詳細に説明する。
後面ガラス板２に、スペーサ手段として形成した複数列の点線状Ｖ形溝２１の突起側が前面カラス板１の内面側に接触したとき、接触部分が短い長さの線接触となるが、これは、前面ガラス板１と後面ガラス板２に加わる外気圧を、短い長さの線接触に分散させて支えることを狙ったものである。例えば、複数列の点線状Ｖ形溝２１の代わりに、異なる形態のスペーサ手段として、図３に示すように、複数個の角錐形溝２２を形成することも考えられるが、この場合は、角錐形溝２２の突起側と前面ガラス板１との接触部分が点接触となり、一点集中で外気圧を支えることとなるので、角錐形溝２２の突起側と前面ガラス板１との接触部分の破損が懸念されるので、角錐形溝２２を点線状Ｖ形溝２１の場合より数多く設ける必要があり、営業用の商品陳列用冷蔵庫、冷凍庫の扉等に使用した場合は内部が見えにくくなるので、最良の形態とは言えないものである。【０００８】次に、本発明による二重ガラス板式真空断熱板の製造方法の概要について説明する。
後面ガラス板２に、スペーサ手段として内面側に突起する複数列の点線状Ｖ形溝２１を形成する方法は、上下一組（凹凸）のカーボン型具の間に平面状のガラス板を挟んで、重り荷重を加えながらカーボン型具全体を加熱することで、ガラス板が軟化して上側のカーボン型具が沈み込んだら加熱を止め、徐冷して、点線状Ｖ形溝２１の形成完了である。尚、加熱温度がガラス板の公称軟化点に達すると異物の付着が発生するので、加熱温度はガラス板の公称軟化点より略５０℃低い温度とすることが望ましい。【０００９】前面ガラス板１と複数列の点線状Ｖ形溝２１を形成した後面ガラス板２とを、外周の四辺に、一辺のみは両壁が４５度に傾斜した排気口３１を設けるようにして、五枚のガラス枠板３を挟んで重ね合わせ、カラス枠板３部分をフリットガラスを介して加熱溶着してガラス封体を形成する場合、図１に示すように、ガラス枠板３はすべて両端を４５度に傾斜したものとすることが、ガラス枠板３の量産性の点から望ましい形態と言える。又、フリットガラスは、バインダー溶液に溶かして、あらかじめ、前面ガラス板１と後面ガラス板２の内面の溶着部分と、五枚のガラス枠板３の全面及び封止用ガラス板４の全面に、厚さが略０．０５〜０．１ｍｍとなるように塗布し、自然乾燥後、適正温度で仮焼成しておくことが望ましい。【００１０】前面ガラス板１と複数列の点線状Ｖ形溝２１を形成した後面ガラス板２とを、外周の四辺に、一辺のみは両壁が４５度に傾斜した排気口３１を設けるようにして、五枚のガラス枠板３を挟んで重ね合わせ、ガラス枠板３部分をフリットガラスを介して加熱溶着してガラス封体を形成した後は、気密チャンバー内での製造工程となる。即ち、気密チャンバー内にガラス封体を設置して、気密チャンバー内を真空ポンプを使って排気して真空にすることで、ガラス封体の内部も排気口３１を通して排気され真空となる。その上で、気密チャンバー内に備えた自動アームを使って封止用ガラス板４を排気口３１に挿入し、気密チャンバー内に備えた電気ヒータにより加熱溶着して排気口３１を封止することで、二重ガラス板式真空断熱板が完成する。
【産業上の利用可能性】
【００１１】営業用の商品陳列用冷蔵庫、冷凍庫は、コンビニエンス・ストアー等で多数使用されており、本発明による二重ガラス板式真空断熱板が製品化できれば、営業用の商品陳列用冷蔵庫、冷凍庫の扉用の従来より優れた断熱効果の透明断熱板として、大いに利用されるものと考えられる。又、省エネが強く望まれている時代にあって、太陽光湯沸器の太陽光を受ける受光面用の従来より優れた断熱効果の透明断熱板として利用され、太陽光湯沸器の復活と発展に大いに貢献できるものと考えられる。
【図面の簡単な説明】
【００１２】
【図１】本発明による二重ガラス板式真空断熱板の説明用破断部付の平面図である。
【図２】図１のＡ−Ａ断面図である。
【図３】図１とスペーサ手段が異なる形態の本発明による二重ガラス板式真空断熱板の説明用破断部付の平面図である。
【符号の説明】
【００１３】    １    前面ガラス板
２    後面ガラス板
２１  点線状Ｖ形溝
２２  角錐形溝
３    ガラス枠板
３１  排気口
４    封止用ガラス板
【図１】
2007024298.tif 000003
【図２】
2007024298.tif 000004
【図３】
2007024298.tif 000005
【手続補正書】
【提出日】平成18年9月27日(2006.9.27)
【手続補正１】
【補正対象書類名】特許請求の範囲
【補正対象項目名】請求項２
【補正方法】変更
【補正の内容】
【請求項２】
四角形の後面ガラス板（２）に、スペーサ手段として内面側に突起する複数列の点線状Ｖ形溝（２１）を形成する代わりに、異なった形態のスペーサ手段として、内面側に突起する複数個の角錐形溝（２２）又は複数個の円錐形溝を形成したことを特徴とする請求項１に記載の二重ガラス板式真空断熱板。
【手続補正２】
【補正対象書類名】明細書
【補正対象項目名】０００７
【補正方法】変更
【補正の内容】
【０００７】本発明を実施するための最良の形態について、更に詳細に説明する。
後面ガラス板２に、スペーサ手段として形成した複数列の点線状Ｖ形溝２１の突起側が前面ガラス板１の内面側に接触したとき、接触部分が短い長さの線接触となるが、これは、前面ガラス板１と後面ガラス板２に加わる外気圧を、短い長さの線接触に分散させて支えることを狙ったものである。例えば、複数列の点線状Ｖ形溝２１の代わりに、異なる形態のスペーサ手段として、図３に示すように複数個の角錐形溝２２、又は複数個の円錐形溝（図示省略）を形成することも考えられるが、この場合は、角錐形溝２２又は円錐形溝の突起側と前面ガラス板１との接触部分が点接触となり、外気圧を、一点集中で支えることとなるので、角錐形溝２２又は円錐形溝の突起側と前面ガラス板１との接触部分の破損が懸念されるので、角錐形溝２２又は円錐形溝を点線状Ｖ形溝２１の場合より数多く設ける必要があり、営業用の商品陳列用冷蔵庫、冷凍庫の扉等に使用した場合は内部が見えにくくなるので、最良の形態とは言えないものである。
【手続補正３】
【補正対象書類名】明細書
【補正対象項目名】００１１
【補正方法】変更
【補正の内容】
【００１１】営業用の商品陳列用冷蔵庫、冷凍庫は、コンビニエンス・ストアー等で多数使用されており、本発明による二重ガラス板式真空断熱板が製品化できれば、営業用の商品陳列用冷蔵庫、冷凍庫の扉用の従来より優れた断熱効果の透明断熱板として、大いに利用されるものと考えられる。又、省エネが強く望まれている時代にあって、太陽光湯沸器の太陽光を受ける受光面用の従来より優れた断熱効果の透明断熱板として利用され、太陽光湯沸器の復活と発展に大いに貢献できるものと考えられる。前記の外に、本発明は、発光ダイオードによる液晶バックライトと液晶パネルとの間の透明断熱板としての利用も考えられる。